(57)【要約】【課題】電球位置の調整を簡単な操作で確実に行うことができ、また、ソケットを簡単に交換することができるスポットライトを提供する。【解決手段】操作摘み１４を回動させると螺軸１２ａの螺動により基台１２と一緒にソケット部ｄが前後動して、電球４の前後方向の位置合せがなされる偏心カム軸１８を回動させると長孔１７を介してソケット取付け板１３と一緒にソケット部ｄが上下動して、電球４の上下方向の位置合せがなされる。ソケット取付け板１３からソケットケース２１とソケット２２を外すと共に、電源コード２３を切欠き２４から外せば、電球位置調整手段ｃを分解することなく、ソケット２２を交換することができる。【選択図】　図３
2004055289.tif 000002
【特許請求の範囲】
【請求項１】
電球、反射器、電球位置調整手段などを内蔵したランプハウスの前方に、投光を任意枠形にカットするカッター機構部を配設すると共に、該カッター機構部の前方に一又は複数のレンズを収容したレンズ筒を配設して灯体を構成したスポットライトにおける電球調整機構であって、
前記電球位置調整手段が、ランプハウスの後面開口部に着脱自在に装着されるカバーと、該カバーの前面側に前後動自在に保持される基台と、該基台の前面側に上下動自在に保持されると共にその前面にソケット部が装着されるソケット取付け板からなり、
前記基台の後面に突設した螺軸を前記カバーの後面側に回転自在に備える操作摘みに螺合させ、該操作摘みの回動により基台が光軸に沿って前後動するよう構成し、且つ、前記ソケット取付け板には、基台に回動自在に保持される偏心カム軸を挿入する長孔を設け、前記偏心カム軸の回動によりソケット取付け板が上下動するよう構成したことを特徴とするスポットライトの電球調整機構。
【請求項２】
上記ソケット部が、上記ソケット取付け板の前面に着脱可能に取り付けられるソケットケースと、該ソケットケースで覆われて前記ソケット取付け板の前面に固定されるソケットからなり、該ソケットに接続する電源コードを、上記カバーの外周縁部に設けた切欠きを通してランプハウス内部に配線するよう構成したことを特徴とする請求項１記載のスポットライトの電球調整機構。
【請求項３】
上記電源コードにおける上記切欠き通過部分を上記カバーに固定するコード押え具を備え、該コード押え具は、前記電源コードの周面下半部が嵌入する下側凹溝を有する前側の押え板と、前記電源コードの周面上半部が嵌入する上側凹溝を有する後側の押え板からなり、それら前後の押え板を重ねて前記上下の凹溝により、電源コードの前記切欠き通過部分を挟持すると共に、該前後の押え板を前記カバーの後面に取り外し可能に固定したことを特徴とする請求項１又は２記載のスポットライトの電球調整機構。
【請求項４】
上記前側の押え板の前後両側に、上記下側凹溝を備えた凸部を突設すると共に、一方の下側凹溝は大径の電源コードが嵌入可能に形成し、他方の下側凹溝は小径の電源コードが嵌入可能に形成し、電源コードの径寸法に合わせて、前記前側押え板の前後何れかの面を上記後側押え板との重ね面として選択し得るよう構成したことを特徴とする請求項３記載のスポットライトの電球調整機構。
【発明の詳細な説明】
【０００１】
【発明の属する技術分野】
本発明は、劇場舞台やテレビスタジオ等の演出空間で使用されるスポットライトに関し、詳しくは、スポットライトにおける電球位置調整構造及びソケット交換構造の改良に関する。
【０００２】
【従来の技術】
従来から、灯体の後部に電球、反射器、電球位置調整手段等を内蔵したスポットライトが知られている。
反射器は、放物曲線や楕円曲線、または自由曲線などを３６０度回転させてなる略回転放物面形状のもので、その後端頂部付近に設けた電球挿通孔に対し、灯体の後方側から電球の発光部分（ガラスバルブ）が挿入されている。
電球は、ランプハウスの後面開口部に着脱自在に装着されるカバーの前面に取り付けたソケットに装着されて、発光体（フィラメント）の光中心が反射器の焦点付近に位置するようになっている。
前記カバーをランプハウスから外せば、そのカバー前面に取り付けたソケット及びそのソケットに装着した電球が一緒に取り出され、この状態で電球やソケットの交換を行うようになっている。
【０００３】
電球としては、ガラスバルブ内に発光体（タングステンフィラメント）を所定位置に保持するべく封止したハロゲン電球が一般に用いられるが、前記発光体が高精度で所定位置に保持されるよう製造することは困難であるため、電球の光中心位置が基準値に対し数ｍｍ程度ずれることはやむを得ないものとされている。しかしながら、スポットライトとしての高い性能を維持するためには、反射器の設計上焦点に対する電球の光中心位置が重要な光学要素となるため、電球を光軸に沿って前後方向や上下方向に移動させる位置調整手段が、上記したカバーとソケットの間に配設されている。
【０００４】
【発明が解決しようとする課題】
ところで、従来の電球位置調整手段としては、例えば送りねじ機構により電球を光軸に沿って前後へ移動させると共に、その送りねじを光軸に対し傾斜させた後に適宜位置でロックして左右方向，上下方向に対する電球の位置補正を行う擬似的な調整方法を用いており、操作が面倒であるばかりか、送りねじを傾斜させる度合いは感に頼るところが大きく、熟練を要するなどの不具合があった。
【０００５】
また従来においては、上記カバーの前面に取り付けたソケットに接続する電源コードを、カバーに設けた通孔を貫通させてランプハウス内部に配線しており、ソケットを交換する際、電球位置調整手段を分解して電源コードを取り外さなければならず、ソケット交換が面倒であった。
【０００６】
本発明は上述したような従来事情に鑑みてなされたもので、その目的とする処は、電球位置の調整を簡単な操作で確実に行い得るようにすることにあり、また本発明の第二の目的は、電球位置調整手段に配設されたソケットを簡単に交換し得るようにすることにある。
【０００７】
【課題を解決するための手段】
上記目的を達成するために本発明は、請求項１記載のように、電球、反射器、電球位置調整手段などを内蔵したランプハウスの前方に、投光を任意枠形にカットするカッター機構部を配設すると共に、該カッター機構部の前方に一又は複数のレンズを収容したレンズ筒を配設して灯体を構成したスポットライトにおける電球調整機構であって、
前記電球位置調整手段が、ランプハウスの後面開口部に着脱自在に装着されるカバーと、該カバーの前面側に前後動自在に保持される基台と、該基台の前面側に上下動自在に保持されると共にその前面にソケット部が装着されるソケット取付け板からなり、
前記基台の後面に突設した螺軸を前記カバーの後面側に回転自在に備える操作摘みに螺合させ、該操作摘みの回動により基台が光軸に沿って前後動するよう構成し、且つ、前記ソケット取付け板には、基台に回動自在に保持される偏心カム軸を挿入する長孔を設け、前記偏心カム軸の回動によりソケット取付け板が上下動するよう構成したことを特徴とする。
【０００８】
このように構成した場合、ランプハウス後面の操作摘みを回動させるとこの操作摘みに螺合する螺軸の螺動により基台が前後動し、この基台と一緒にソケット部が前後動して、電球の前後方向の位置合せを行うことができる。また、ランプハウス後面からドライバ等の工具を差し込んで偏心カム軸を回動させると、この偏心カム軸が挿入された長孔を介してソケット取付け板が上下動し、このソケット取付け板と一緒にソケット部が上下動して、電球の上下方向の位置合せを行うことができる。
【０００９】
本発明の請求項２では、上記ソケット部が、上記ソケット取付け板の前面に着脱可能に取り付けられるソケットケースと、該ソケットケースで覆われて前記ソケット取付け板の前面に固定されるソケットからなり、該ソケットに接続する電源コードを、上記カバーの外周縁部に設けた切欠きを通してランプハウス内部に配線するよう構成したことを特徴とする。
【００１０】
この場合、ソケット取付け板からソケットケースとソケットを外すと共に、電源コードを切欠きから外せば、電球位置調整手段を分解することなく、ソケットを交換することができる。
【００１１】
請求項３では、上記電源コードにおける上記切欠き通過部分を上記カバーに固定するコード押え具を備え、該コード押え具は、前記電源コードの周面下半部が嵌入する下側凹溝を有する前側の押え板と、前記電源コードの周面上半部が嵌入する上側凹溝を有する後側の押え板からなり、それら前後の押え板を重ねて前記上下の凹溝により、電源コードの前記切欠き通過部分を挟持すると共に、該前後の押え板を前記カバーの後面に取り外し可能に固定したことを特徴とする。
【００１２】
この場合、コード押え具により電源コードをカバーの切欠きに固定して、電源コードが不用意に引き抜かれるような虞れを防止することができる。
【００１３】
請求項４では、上記前側の押え板の前後両側に、上記下側凹溝を備えた凸部を突設すると共に、一方の下側凹溝は大径の電源コードが嵌入可能に形成し、他方の下側凹溝は小径の電源コードが嵌入可能に形成し、電源コードの径寸法に合わせて、前記前側押え板の前後何れかの面を上記後側押え板との重ね面として選択し得るよう構成したことを特徴とする。
【００１４】
この場合、電源コードの径寸法に合せて、前側押え板の前後何れかの下側凹溝を選択し、選択した下側凹溝が形成された面を後側押え板と重ね合わせて、太径又は細径の電源コードを、上下の凹溝で確実に挟持することができる。
【００１５】
【発明の実施の形態】
以下、本発明に係るスポットライトの実施形態の一例を図面を参照して説明する。図１は本例のスポットライトの概要を示す側面図で、図中ａは、ランプハウス１の前方に、投光を任意枠形にカットするカッター機構部２を配設すると共に、該カッター機構部２の前方に、レンズを収容したレンズ筒３を配設してなる灯体を表し、該灯体ａは灯体支持具ｂにより、そのチルト角度を調整自在に支持されるようになっている。
【００１６】
ランプハウス１は、その内部に電球４、反射器５などを内蔵すると共に、その後面開口部１ａに、電球位置調整手段ｃが着脱自在に装着されている。
反射器５は、前面開口５ａがカッター機構部２側に向くよう、ランプハウス１の後部に固定され、その後端頂部付近の電球挿通孔５ｂに、ランプハウス１の後面側から電球４の発光部分（ガラスバルブ）４ａが挿入されている。
【００１７】
電球４はハロゲン電球又は放電灯電球などであって、ランプハウス１の後部に装着した電球位置調整手段ｃの前側に配設したソケット部ｄに着脱自在に装着されている。
【００１８】
電球位置調整手段ｃは、図２〜図６に示すように、ランプハウス１の後面開口部１ａにローレットネジ等の固定手段１０で着脱自在に装着されるカバー１１と、該カバー１１の前面に、光軸Ｌに沿って前後動自在に装着される基台１２と、該基台１２の前面に上下動自在に装着されるソケット取付け板１３等からなっている。
【００１９】
カバー１１は、蓋板１１ａの外周に袴部１１ｂを周設してランプハウス１の後面開口部１ａに着脱可能に嵌合するよう形成したもので、蓋板１１ａの前面適所にガイド柱１１ｃを突設し、各ガイド柱１１ｃに外装したスプリング１１ｄにより、基台１２を前方へ付勢している。
【００２０】
基台１２は、上記袴部１１ｂで囲まれる部分に遊嵌する外形をもって形成した板状部材で、その後面側に、前記蓋板１１ａの中心に開穿した通孔１１ｅに遊挿される螺軸１２ａを突設し、該螺軸１２ａの先端部はカバー１１の後面側に突出させてその先端部に操作摘み１４を螺合させ、且つ四角部分には前記ガイド柱１１ｃの先端に被さってスプリング１１ｄの付勢力を受ける凹部１２ｂを形成して、操作摘み１４の回動操作で基台１２が前後摺動するようになっている。
【００２１】
ソケット取付け板１３は、基台１２の前面に突設した左右ガイド１５ａ，１５ｂ間に装填されると共に、その基台１２前面に取り付けた逆Ｕ字形の板バネ１６で基台１２に押さえ付けられて、基台１２前面に上下動可能に支持された板状部材で、その上部に設けた略水平方向へ延びる長孔１７に挿入される偏心カム軸１８の偏心回転に伴い上下摺動するようになっている。
【００２２】
偏心カム軸１８は、基台１２に開穿した開口１９に臨む頭部２０の前面側偏心位置に連設されたもので、頭部２０に設けた十字溝２０ａにドライバー等の工具を差し込んで回動操作するようになっている。
【００２３】
ソケット部ｄは、ソケット取付け板１３の前面にネジ５０によって着脱可能に取り付けられるソケットケース２１と、このソケットケース２１で覆われてソケット取付け板１３の前面に固定されるソケット２２からなり、ソケット２２には電源コード２３が接続されている。
【００２４】
電源コード２３は、カバー１１の外周下縁部から上方へ向けて設けた逆Ｕ字形の切欠き２４を通してランプハウス１内に配線されている。また電源コード２３のソケット接続側の先端部２３ａは、前後のコードクリップ２５ａ，２５ｂで挟まれると共に、それらコードクリップ２５ａ，２５ｂをネジ２６でソケットケース２１後面に、取り外し可能に止着して、引き抜き防止が図られている。
【００２５】
電源コード２３における切欠き２４を通過する部分２３ｂは、図７に示すような、前後の押え板３１，３２からなるコード押え具３０によりカバー１１に固定されている。
前側の押え板３１は、カバー１１の後面にネジ３３で取り外し可能に装着されて上記切欠き２４の周りを覆う板部３１ａに、その切欠き２４に連通する切欠き３１ｂを上縁から中心部付近にわたって形成すると共に、その切欠き３１ｂの下方に、前記切欠き２４に遊挿可能な凸部３１ｃ，３１ｃを板部３１ａの前後両面に設けてある。それら凸部３１ｃの上面は先端に向けて下向き傾斜する傾斜形状とすると共に、それら傾斜面部に、電源コード２３の周面下半部が嵌入する下側の凹溝３１ｄ，３１ｅを形成してある。
【００２６】
一方の下側凹溝３１ｄは太径の電源コードが嵌入可能な寸法をもって凹設され、他方の下側凹溝３１ｅは細径の電源コードが嵌入可能な寸法をもって凹設してあり、電源コード２３の径寸法に合わせて、何れか一方の下側凹溝３１ｄ，３１ｅを選択して使用し得るようになっている。
【００２７】
後側の押え板３２は、前側押え板３１に重なって前記したネジ３３により前記板部３１ａと共にカバー１１に取り付けられるもので、上記凸部３１ｃが遊挿可能な切欠き３２ａを下縁から中心部付近にわたって形成すると共に、その切欠き３２ａの上端部内面は、後方へ向けて下向き傾斜する傾斜形状とし、その傾斜面部に、電源コード２３の周面上半部が嵌入する上側の凹溝３２ｂを形成してある。
【００２８】
そうして、前記した両押え板３１，３２を前後に重ねると、対向状に配置される上側の凹溝３２ｂと下側の凹溝３１ｄ又は３１ｅ間に、切欠き２４に連通するコード差込孔３４が形成され、電源コード２３の前記切欠き通過部分２３ｂはこの差込孔３４を通ると共に、上下の凹溝３２ｂ，３１ｄ（３１ｅ）で挟持されて切欠き２４（カバー１１）に固定される。
下側の凹溝３１ｄ，３１ｅは、電源コード２３の太さに合せて何れか一方が選択され、すなわち、電源コード２３が太径であれば一方の下側凹溝３１ｄを選択し、細径であれば他方の下側凹溝３１ｅを選択し、選択された下側凹溝３１ｄ又は３１ｅが上側凹溝３２ｂと対向するよう、前後の押え板３１と３２を重ね合わせることで、太径又は細径の電源コード２３を、上下の凹溝３２ｂ，３１ｄ（３１ｅ）で確実に挟持することができる。
【００２９】
尚、図３中の符号４０は電源コード２３と一緒に配線されたアース線で、該アース線４０は、その先端４１をネジ４２により基台１２に固定されている。
【００３０】
以上のように構成した本例のスポットライトは、操作摘み１４を回動操作すれば基台１２、ソケット取付け板１３、ソケット２２、ソケットケース２１と共に電球４が光軸Ｌに沿って前後動し、電球４の前後方向の位置調整を行うことができる。
また、偏心カム軸１８をドライバー等の操作で回動させれば、ソケット取付け板１３、ソケット２２、ソケットケース２１が上下動し、電球４の上下方向の位置調整を行うことができる（図４〜図６参照）。
よって、電球４の光中心位置と反射器５の焦点との前後方向，上下方向の夫々の誤差を個別に補正することができる。
【００３１】
また、長期の使用によりソケット２２の電球押えバネ２２ａ，２２ａが磨耗するなどした場合は、まず、ローレットネジ１０を緩めてカバー１１をランプハウス１の後面開口部１ａから外し、このカバー１１の前面側に取り付けられた電球位置調整手段ｃ、ソケット部ｄ、電球４、電源コード２３を一緒に取り外す（図８参照）。
次いで、ネジ３３を緩めて前後のコード押え板３１，３２をカバー１１から外して電源コード２３を切欠き２４から外し、電球４をソケットから外すと共に、ネジ４２を緩めてアース線先端４１を基台１２から外す（図９参照）。
さらに、ネジ５０を緩めてソケットケース２１とソケット２２をソケット取付け板１３から外し、ネジ２６を緩めてコードクリップ２５ａ，２５ｂと電源コード２３、ソケット２２をソケットケース２１から外すことで（図１０〜図１１参照）、電球位置調整手段ｃを分解することなく、ソケット２２を交換することができる。
【００３２】
以上、本発明に係るスポットライトの電球調整機構の実施形態の一例を図面を参照して説明したが、本発明はこれに限定されるものではなく、特許請求の範囲の各請求項に記載された技術的思想の範疇であれば、種々の変更が可能であることは言うまでもない。
【００３３】
【発明の効果】
本発明に係るスポットライトの電球調整機構は以上説明したように構成したので、下記の効果を奏する。
【００３４】
（請求項１）
操作摘みの回動操作により螺軸が螺動進退して電球の前後方向位置合せがなされ、偏心カム軸の回動操作により該偏心カム軸が偏心回転して電球の上下方向位置合せがなされるので、電球位置の調整を、熟練を要することなく、簡単な操作で確実に行うことができる。
【００３５】
（請求項２）
電球位置調整手段を分解することなく、ソケットと電源コードを取り外して簡単に交換することができる。
【００３６】
（請求項３）
コード押え具により電源コードを所定箇所に固定して、電源コードが不用意に引き抜かれ、切断するような虞れを防止することができる。
【００３７】
（請求項４）
コード押え具が太径と細径の二種類の電源コードに対応可能であるので、部品点数を削減すると共に、太さの違う電源コードであって確実に挟持して前記効果を得ることができる。
【図面の簡単な説明】
【図１】本発明に係るスポットライトの実施形態の一例を示す簡略側面図。
【図２】図１の要部を拡大して示す断面図。
【図３】電球位置調整手段とソケット部の分解側面図。
【図４】電球位置調整手段とソケット部の拡大正面図。
【図５】図４におけるソケット部の上動位置を示す作動図。
【図６】（ａ）は図４の縦断側面図、（ｂ）は図５の縦断側面図。
【図７】コード押え具の装着手順を示す簡略図。
【図８】ソケットの取り外し手順を示す簡略図。
【図９】ソケットの取り外し手順を示す簡略図。
【図１０】ソケットの取り外し手順を示す簡略図。
【図１１】ソケットの取り外し手順を示す簡略図。
【符号の説明】
ａ：灯体
１：ランプハウス
２：カッター機構部
３：レンズ筒
４：電球
５：反射器
ｃ：電球位置調整手段
１１：カバー
１２：基台
１２ａ：螺軸
１３：ソケット取付け板
１４：操作摘み
１７：長孔
１８：偏心カム軸
ｄ：ソケット部
２１：ソケットケース
２２：ソケット
２３：電源コード
２４：切欠き
３０：コード押え具
３１：前側の押え板
３１ｄ，３１ｅ：下側凹溝
３２：後側の押え板
３２ｂ：上側凹溝
【図１】
2004055289.tif 000003
【図２】
2004055289.tif 000004
【図３】
2004055289.tif 000005
【図４】
2004055289.tif 000006
【図５】
2004055289.tif 000007
【図６】
2004055289.tif 000008
【図７】
2004055289.tif 000009
【図８】
2004055289.tif 000010
【図９】
2004055289.tif 000011
【図１０】
2004055289.tif 000012
【図１１】
2004055289.tif 000013